(57)【要約】【課題】リネン製品などの他部材に対し効率的にかつ安定的に取り付けることができるＲＦＩＤタグを提供する。またこれに加えて、ＲＦＩＤタグ本体と一体化した縫製用生地の端部が解れるのを抑制することができるＲＦＩＤタグを提供する。【解決手段】ＲＦＩＤタグ本体の一部又は全部をモールド材により被覆してなるＲＦＩＤタグにおいて、ＲＦＩＤタグ本体と縫製用生地とをモールド材により一体成形する。縫製用生地は、当該ＲＦＩＤタグを他部材に取り付けるための縫製部を有するものとする。また、縫製用生地の端部を端部用モールド材により被覆し、モールド材と端部用モールド材との間の部位を縫製部とする。【選択図】図１
2013205888.tif 000002
【特許請求の範囲】
【請求項１】
ＲＦＩＤタグ本体の一部又は全部をモールド材により被覆してなるＲＦＩＤタグにおいて、
前記ＲＦＩＤタグ本体と縫製用生地とを前記モールド材により一体成形し、
前記縫製用生地は、当該ＲＦＩＤタグを他部材に取り付けるための縫製部を有することを特徴とするＲＦＩＤタグ。
【請求項２】
請求項１記載のＲＦＩＤタグにおいて、
前記縫製用生地は、前記ＲＦＩＤタグ本体の下側に配置されることを特徴とするＲＦＩＤタグ。
【請求項３】
請求項１又は２記載のＲＦＩＤタグにおいて、
前記縫製用生地の端部を端部用モールド材により被覆し、
前記モールド材と前記端部用モールド材との間の部位を前記縫製部としたことを特徴とするＲＦＩＤタグ。
【発明の詳細な説明】
【技術分野】
【０００１】
本発明は、識別の技術分野に係るＲＦＩＤタグに関する。
【背景技術】
【０００２】
ユニフォームやホテルのシーツなど、リネン製品の管理を行いたいとのニーズが市場にある。管理する方法としては、リネン製品にＲＦＩＤタグを取り付ける方法がある。
【０００３】
ＲＦＩＤタグの一種として従来から、図５に示すＩＣタグ１が知られている。このＩＣタグ１は、アンテナ部３及びＩＣチップ４よりなるＩＣタグ本体２を備え、またＩＣチップ４を保護するためにモールド材５が被覆されている。より具体的には図５（ａ）に示すように、アンテナパターンをＦＰＣ（Ｆｌｅｘｉｂｌｅ  Ｐｒｉｎｔｅｄ  Ｃｉｒｃｕｉｔｓ；フレキシブル基板）にて形成してアンテナ部３とし、このアンテナ部３の上にＩＣチップ４を実装する。また、ＩＣチップ４をクリーニング時の外力や薬液などから保護するため、ＩＣチップ４を実装したアンテナ部３上において、ＩＣチップ４の周辺面若しくはその周辺を含む全体面をゴムや樹脂などのモールド材５によりモールドする。あるいは、図５（ｂ）に示すように、金属線よりなるアンテナ部３を設け、このアンテナ部３にＩＣチップ４をハンダ付けなどにより接続する。その上で、ゴムや樹脂などのモールド材５によりモールドする。
【０００４】
このようなＩＣタグ１をリネン製品１１に取り付ける方法として、図６（ａ）に示すように、ＩＣタグ１を覆うように取付用生地１２を当ててこの取付用生地１２をリネン製品１１に縫製したり、あるいは図６（ｂ）に示すように、リネン製品１１の端部を折り返して袋状部１３とし、その中にＩＣタグ１を入れて袋状部１３の開口部１３ａを縫製したりすることで、ＩＣタグ１をリネン製品１１に取り付けることが行なわれている。
【０００５】
しかしながら、これらの方法によると、ＩＣタグ１が取付用生地１２の下又は袋状部１３の中に隠れてしまい、作業者はＩＣタグ１を見ながら縫製作業を行なうことができない。したがって縫い針がＩＣタグ１に当たらないよう十分に気を付けながら作業を行なわなければならず、よって作業効率が良くない不都合がある。さらに、ＩＣタグ１の位置が定まらないことから、気を付けながら縫製作業を行っている場合であってもＩＣタグ１を誤って縫製してしまう虞があり、この場合にはＩＣタグ１に縫い針が貫通して、アンテナ部３などがダメージを受ける虞があり、またＦＰＣを形成するポリイミドなどのフィルムやモールド材を形成するゴムや樹脂に誤って開けてしまった縫い針の孔がクリーニング時の外力により裂けてＩＣタグ１がリネン製品から外れたり、縫い糸を通じてアンテナ部３にまで薬液が侵入したりする虞がある。
【０００６】
そのために、ＩＣタグ１の外縁から距離を離した位置で、取付用生地１２をリネン製品１１に縫製したり袋状部１３の開口部１３ａを縫製したりすることが行われているが、この場合には、縫製後、ＩＣタグ１が取付用生地１２の下又は袋状部１３の中で動きやすくなるため、ＩＣタグ１の折れ曲がりなどを助長する問題がある。
【０００７】
さらに、図６（ａ）のように取付用生地１２を用いる場合には、取付用生地１２の端部１２ａが露出したままであるため、次第に解（ほつ）れてくるという問題もある。
【先行技術文献】
【特許文献】
【０００８】
【特許文献１】実開平０３−１１４１９９号公報
【特許文献２】特開２００７−０１８４８７号公報
【発明の概要】
【発明が解決しようとする課題】
【０００９】
本発明は以上の点に鑑みて、リネン製品などの他部材に対し効率的にかつＲＦＩＤタグが動かないという意味合いにおいて安定的に取り付けることができるＲＦＩＤタグを提供することを目的とする。またこれに加えて、ＲＦＩＤタグ本体と一体化した縫製用生地の端部が解れるのを抑制することができるＲＦＩＤタグを提供することを目的とする。
【課題を解決するための手段】
【００１０】
本発明に係るＲＦＩＤタグは、前述した技術的課題を解決するために以下のように構成されている。すなわち、本発明の請求項１によるＲＦＩＤタグは、ＲＦＩＤタグ本体の一部又は全部をモールド材により被覆してなるＲＦＩＤタグにおいて、前記ＲＦＩＤタグ本体と縫製用生地とを前記モールド材により一体成形し、前記縫製用生地は、当該ＲＦＩＤタグを他部材に取り付けるための縫製部を有することを特徴とする。
【００１１】
また、本発明の請求項２によるＲＦＩＤタグは、請求項１記載のＲＦＩＤタグにおいて、前記縫製用生地は、前記ＲＦＩＤタグ本体の下側に配置されることを特徴とする。
【００１２】
また、本発明の請求項３によるＲＦＩＤタグは、請求項１又は２記載のＲＦＩＤタグにおいて、前記縫製用生地の端部を端部用モールド材により被覆し、前記モールド材と前記端部用モールド材との間の部位を前記縫製部としたことを特徴とする。
【００１３】
上記構成を備える本発明のＲＦＩＤタグにおいては、ＲＦＩＤタグ本体と縫製用生地とがモールド材により一体成形され、縫製用生地に、当該ＲＦＩＤタグを他部材に取り付けるための縫製部が設けられている。したがって縫製用生地を縫製部において他部材に縫製することによりＲＦＩＤタグ本体を他部材に取り付けることが可能とされる。
【００１４】
縫製用生地はＲＦＩＤタグ本体の上側に配置しても良く、また下側に配置しても良いが、下側に配置する場合には、ＲＦＩＤタグ本体を直接見ながら縫製作業を行なうことが可能とされる。
【００１５】
また、縫製用生地はその端部が次第に解れる可能性があるところ、縫製用生地の端部を端部用モールド材により被覆することにより、この端部用モールド材によって縫製用生地の端部を固めて、解れを抑制することが可能とされる。
【発明の効果】
【００１６】
上記したように請求項１の発明に係るにＲＦＩＤタグよれば、縫製用生地を縫製部において他部材に縫製することによりＲＦＩＤタグ本体を他部材に取り付けることが可能とされるため、ＲＦＩＤタグ本体を他部材に直接縫製する必要がない。したがってＲＦＩＤタグ本体が縫い針の貫通などにより損傷するのを抑制することができる。また、ＲＦＩＤタグ本体を予め一体化した縫製用生地を縫製部において他部材に縫製するため、縫製作業に際してつどＲＦＩＤタグ本体と縫製用生地を位置決めする必要がない。したがって縫製作業を効率的に行なうことができる。また、縫製後、ＲＦＩＤタグ本体が他部材に対し固定されるため、ＲＦＩＤタグ本体が取付用生地の下や袋状部の中で動いて折れ曲がるのを抑制することができる。また、縫製長さを短くすることができ、リネン製品などの他部材に袋状部を設ける必要もない。したがって以上総じて、ＲＦＩＤタグをリネン製品などの他部材に対し効率的にかつ安定的に取り付けることができる。
【００１７】
請求項２の発明に係るにＲＦＩＤタグよれば、ＲＦＩＤタグ本体を直接見ながら縫製作業を行なうことが可能とされるため、ＲＦＩＤタグ本体と縫い針の位置関係を確かめながら縫製作業が行なわれる。したがって縫い針の貫通抑制を徹底することができるとともに縫製作業を一層効率的に行なうことができる。
【００１８】
請求項３の発明に係るにＲＦＩＤタグよれば、縫製用生地の端部を端部用モールド材により被覆するため、端部用モールド材によって縫製用生地の端部が固められる。したがって縫製用生地の端部が次第に解れてくるのを抑制することができる。また、モールド材と端部用モールド材との間の部位に縫製部が設けられるため、縫製箇所の目安を付けやすい。
【図面の簡単な説明】
【００１９】
【図１】本発明の第１実施形態に係るＩＣタグを示す図であって、（ａ）はその概略縦断面図、（ｂ）はその概略平面図、（ｃ）は縫製用生地の他の例を示す概略平面図、（ｄ）は同ＩＣタグをリネン製品に取り付けた状態を示す概略縦断面図である。
【図２】本発明の第２実施形態に係るＩＣタグを示す図であって、（ａ）はその概略縦断面図、（ｂ）はその概略平面図、（ｃ）は縫製用生地の他の例を示す概略平面図、（ｄ）は同ＩＣタグをリネン製品に取り付けた状態を示す概略縦断面図である。
【図３】本発明の第３実施形態に係るＩＣタグを示す図であって、（ａ）はその概略縦断面図、（ｂ）はその概略平面図、（ｃ）は縫製用生地の他の例を示す概略平面図、（ｄ）は同ＩＣタグをリネン製品に取り付けた状態を示す概略縦断面図である。
【図４】本発明の第４実施形態に係るＩＣタグを示す図であって、（ａ）はその概略縦断面図、（ｂ）はその概略平面図、（ｃ）は端部用モールド材の他の例を示す概略縦断面図、（ｄ）は同ＩＣタグをリネン製品に取り付けた状態を示す概略縦断面図である。
【図５】（ａ）は従来例に係るＩＣタグの概略縦断面図、（ｂ）は他の従来例に係るＩＣタグの概略縦断面図である。
【図６】（ａ）及び（ｂ）とも従来例に係るＩＣタグの取付方法を示す概略縦断面図である。
【発明を実施するための形態】
【００２０】
つぎに、本発明を実施するための形態を図面にしたがって説明する。
【００２１】
当該実施の形態は、ＲＦＩＤタグの一種であるＩＣタグ１に係る。
【００２２】
全体構成・・・
当該実施の形態に係るＩＣタグ１は、アンテナ部３及びＩＣチップ４よりなるＩＣタグ本体２をモールド材５により被覆したものであって、さらに、ＩＣタグ本体２と縫製用生地６とがモールド材５により一体成形されている。また縫製用生地６には、当該ＩＣタグ１を他部材としてのリネン製品（リネン製品の生地）１１に取り付けるための縫製部７が設けられている。
【００２３】
ＩＣタグ本体２は、アンテナ部３と、このアンテナ部３の上に実装されたＩＣチップ４とよりなる。アンテナ部３は例えば、銅箔、カバーフィルム及びベースフィルムよりなるＦＰＣにおいて、銅箔をアンテナパターンとして作成したものであって、このＦＰＣの上にＲＦＩＤチップの一種であるＩＣチップ４がハンダ付けにより実装されている。尚、アンテナ部３はＦＰＣ（図５（ａ）参照）ではなく金属線（図５（ｂ）参照）よりなるものであっても良い。
【００２４】
また、ＩＣタグ本体２は、その平面上一部又は全部が、モールド材５により被覆されている。すなわちＩＣチップ４をクリーニング時の外力や薬液などから保護するため、ＩＣチップ４を実装したアンテナ部３上において、ＩＣチップ４の周辺面（平面上一部、ＩＣタグ本体２の一部）若しくはその周辺を含む全体面（平面上全部、ＩＣタグ本体２の全部）がゴム（シリコーンゴムなど）や樹脂などのモールド材５により被覆されており、本発明ではこのモールド材５を利用して、ＩＣタグ本体２と縫製用生地６とが一体成形されている。
【００２５】
縫製用生地６としては、これをもって当該ＩＣタグ１をリネン製品１１に取り付けるので、ＩＣタグ本体２よりも平面上大きなものとされ、ＩＣタグ本体２の平面からはみ出た部位を縫製部７としてここに縫製箇所（縫製予定箇所）８を設定する。縫製用生地６は織布、不織布又はニットなどよりなる。縫製には、縫い糸９を用いる。
【００２６】
第１実施形態・・・
図１（ａ）（ｂ）に示す第１実施形態では、ＩＣタグ本体２の上側（ＩＣチップ４側）に位置して縫製用生地６が配置され、この縫製用生地６とＩＣタグ本体２とがモールド材５による含浸成形により一体成形されている。
【００２７】
ＩＣタグ本体２は、アンテナ部３の上にＩＣチップ４が実装されて所定の長さ寸法Ｌ１及び幅寸法Ｗ１を備える。
【００２８】
縫製用生地６は、所定の長さ寸法Ｌ２及び幅寸法Ｗ２を備え、
Ｌ１＜Ｌ２，Ｗ１≒Ｗ２
の関係に設定されているので、縫製用生地６の長手方向両端部が縫製部７とされているが、図１（ｃ）に示すように、
Ｌ１＜Ｌ２，Ｗ１＜Ｗ２
の関係として、縫製用生地６のＩＣタグ本体２の外縁を囲む周方向端部を縫製部７としても良い。また、図示はしないが、
Ｌ１＝Ｌ２，Ｗ１＜Ｗ２
としても良い。
【００２９】
出来上がりの製品として当該ＩＣタグ１は、アンテナ部３及びＩＣチップ４よりなるＩＣタグ本体２と、ＩＣタグ本体２の上側に配置された縫製用生地６と、ＩＣタグ本体２及び縫製用生地６を含浸成形により一体化したモールド材５とを一体に備えるものになり、これがリネン製品１１に取り付けられると図１（ｄ）の模式図に示すようになる。
【００３０】
上記構成のＩＣタグ１においては、縫製用生地６をその縫製部７においてリネン製品１１に縫製することによりＩＣタグ本体２をリネン製品１１に取り付けることが可能とされるため、ＩＣタグ本体２をリネン製品１１に直接縫製する必要がない。したがってＩＣタグ本体２が縫い針の貫通などにより損傷するのを抑制することができる。また、ＩＣタグ本体２を予め一体化した縫製用生地６をその縫製部７においてリネン製品１１に縫製するため、縫製作業に際してつどＩＣタグ本体２と縫製用生地６を位置決めする必要がない。したがって縫製作業を効率的に行なうことができる。また、縫製後、ＩＣタグ本体２がリネン製品１１に対し固定されるため、ＩＣタグ本体２が取付用生地の下や袋状部の中で動いて折れ曲がるのを抑制することができる。また、縫製長さを短くすることができ、リネン製品１１に袋状部を設ける必要もない。したがってこれらのことから、ＩＣタグ１をリネン製品１１に対し効率的にかつ安定的に取り付けることができる。
【００３１】
尚、上記第１実施形態に係るＩＣタグ１は、その構成を以下のように付加又は変更するものであっても良い。
【００３２】
第２実施形態・・・
上記第１実施形態では、ＩＣチップ４を保護すべくＩＣタグ本体２の平面上一部（上面の一部）がモールド材５により被覆されているところ、本実施形態では、図２に示すように、ＩＣタグ本体２の平面上全部（上面の全部）をモールド材５により被覆し、又はＩＣタグ本体２の上面、厚み面及び下面のすべてをモールド材５により被覆し、すなわちＩＣタグ本体２をモールド材５によって完全に包み込む。
【００３３】
この構成によれば、モールド材５によってアンテナ部３を広面積に亙って保護することができるとともに、モールド材５に埋設される縫製用生地６の面積が拡大するため、モールド材５による縫製用生地６の保持力を高めることができる。
【００３４】
第３実施形態・・・
上記第１又は第２実施形態では、ＩＣタグ本体２の上側に縫製用生地６が配置されているところ、本実施形態では、図３に示すように、ＩＣタグ本体２の下側に縫製用生地６を配置する。
【００３５】
この構成によれば、ＩＣタグ本体２を直接見ながら縫製作業を行なうことが可能とされるため、ＩＣタグ本体２と縫い針の位置関係を確かめながら縫製作業が行なわれる。したがって縫い針の貫通抑制を徹底することができるとともに縫製作業を一層効率的に行なうことができる。
【００３６】
第４実施形態・・・
上記第１、第２又は第３実施形態では、縫製用生地６の端部６ａが露出しているため次第に解れる可能性があるところ、本実施形態では、図４に示すように、縫製用生地６の端部６ａを端部用モールド材１０により被覆する。
【００３７】
端部用モールド材１０は、縫製用生地６の端部６ａを含浸する。この場合には、縫製部７は、モールド材５と端部用モールド材１０との間となり、ここに縫製箇所８を設定する。
【００３８】
この構成によれば、縫製用生地６の端部６ａが次第に解れるのを抑制することができるとともに、モールド材５と端部用モールド材１０との間の部位が縫製部７とされるため、縫製箇所の目安を付けやすい。
【００３９】
尚、図４（ａ）に示すように、端部用モールド材１０の高さ寸法は、モールド材５の高さ寸法と同等又は略同等に設定されるが、図４（ｃ）に示すように、モールド材５の高さ寸法より低く設定しても良く、この場合には、使用するモールド材料の量が少なくて済む。
【００４０】
また、図４（ａ）（ｂ）に示すように、縫製用生地６の長手方向両端部が縫製部７とされる場合、端部用モールド材１０は縫製用生地６の長手方向両端部にそれぞれ設けられるが、図１（ｃ）のように縫製用生地６のＩＣタグ本体２の外縁を囲む周方向端部が縫製部７とされる場合には、端部用モールド材１０を縫製用生地６の周りすべてに設けるようにしても良い。
【００４１】
また、端部用モールド材１０は、モールド材５と一部で繋がっていて、互いに一体成形されるものであっても良く、例えば縫製用生地６における縫製部７の下面又は／及び上面に薄膜状のモールド材を被着することにより端部用モールド材１０をモールド材５と一体化し、又は縫製部７の厚み内に一部のモールド材を含浸させることにより端部用モールド材１０をモールド材５と一体化する。図４（ｃ）に示す例では、縫製部７の下面に薄膜状のモールド材１０ａが設けられ、これにより端部用モールド材１０がモールド材５と一体化されている。
【符号の説明】
【００４２】
１  ＩＣタグ（ＲＦＩＤタグ）
２  ＩＣタグ本体（ＲＦＩＤタグ本体）
３  アンテナ部
４  ＩＣチップ（ＲＦＩＤチップ）
５  モールド材
６  縫製用生地
６ａ  端部
７  縫製部
８  縫製箇所
９  縫い糸
１０  端部用モールド材
１０ａ  薄膜状のモールド材
１１  リネン製品（他部材）
【図１】
2013205888.tif 000003
【図２】
2013205888.tif 000004
【図３】
2013205888.tif 000005
【図４】
2013205888.tif 000006
【図５】
2013205888.tif 000007
【図６】
2013205888.tif 000008